(57)【要約】【課題】  文字板に対するムーブメントの支持構造を合理化してなる時計を得ること。【解決手段】  中心ナット３８０は、文字板２００の正面に当接する着座面３８１から螺合方向先端までの寸法Ａが、文字板の厚さＢよりも大きいものであり、ケース体３４０には、指針パイプ３２１，３２２，３２３の回転軸Ｌを中心とする円形環状の凹部３４２を設け、凹部には、中心ナットの螺合方向先端が入り込むものとし、ケース体の当接面３４１は、凹部を囲むように設け、更に、中心ねじ３３０は、ケース体の内面に当接するフランジ部３３１を備え、中心ねじと中心ナットとの螺合方向においては、中心ねじのフランジ部と中心ナットの着座面とが対向するとともに、ケース体の当接面の少なくとも一部がそれらの間に位置する構成とした。【選択図】図１
2010145368.tif 000002
【特許請求の範囲】
【請求項１】
文字板と、指針を駆動するムーブメントとを備え、
前記ムーブメントは、前記指針を装着する指針パイプと、前記指針パイプを挿通するとともにその回転軸を中心とする中心ねじと、前記指針パイプ及び前記中心ねじを保持するケース体とを備え、
前記ケース体は、前記文字板の背面に当接する当接面を備え、
前記文字板は、前記中心ねじを挿通する孔部を備え、
前記文字板の背面側から前記孔部に前記中心ねじを挿通し、前記文字板の正面側から前記中心ねじに中心ナットを螺合して前記ムーブメントを前記文字板に支持してなる時計において、
前記中心ナットは、前記文字板の正面に当接する着座面から螺合方向先端までの寸法が、前記文字板の厚さよりも大きいものであり、
前記ケース体には、前記指針パイプの回転軸を中心とする円形環状の凹部を設け、
前記凹部には、前記中心ナットの螺合方向先端が入り込むものとし、
前記ケース体の当接面は、前記凹部を囲むように設け、
更に、前記中心ねじは、前記ケース体の内面に当接するフランジ部を備え、
前記中心ねじと前記中心ナットとの螺合方向においては、前記中心ねじのフランジ部と前記中心ナットの着座面とが対向するとともに、前記ケース体の当接面の少なくとも一部がそれらの間に位置することを特徴とする時計。
【発明の詳細な説明】
【技術分野】
【０００１】
本発明は、ムーブメントを文字板に支持してなる時計に関する。
【背景技術】
【０００２】
時計のムーブメントを文字板の背面に支持する構成としては、ムーブメントに中心ねじと呼ばれる円筒状の雄ねじ部品を設け、文字板の中央に設けた孔部にその中心ねじを挿通し、文字板の正面側から中心ねじに中心ナットを螺合する構成が知られている。ムーブメントは、指針を装着する指針パイプを備え、中心ねじは、指針パイプを挿通するとともに指針パイプの回転軸を中心とする部材となっている。特許文献１及び２には、中心ねじを備えたムーブメントが開示されている。中心ねじは、特許文献１の図中では符号４で示されており、特許文献２の図中では符号２２で示されている。
【特許文献１】特開２０００−２２１２７７号公報
【特許文献２】特開２０００−２２１２８１号公報
【発明の開示】
【発明が解決しようとする課題】
【０００３】
さて、前述したようにムーブメントを文字板に支持する場合は、中心ねじと中心ナットとの螺合幅が、文字板の厚さに制限されてしまうという問題がある。すなわち、文字板が薄いと、ムーブメントの支持強度を十分に確保できなくなるという不都合がある。特に、時計のデザインを薄型化すると、文字板も薄く設計せざるを得ないという事情があり、これに対処するための構成が必要と考えられる。また、中心ナットの螺合方向の幅が短いために（つまり薄いリング状の部材であるために）、これを中心ナットに螺合する際の作業性が悪いという問題もある。時計の組立て現場においては、その作業性の改善も求められている。
【０００４】
発明は、かかる事情に鑑みてなされたものであり、その目的は、文字板に対するムーブメントの支持構造を合理化してなる時計を提供することである。
【課題を解決するための手段】
【０００５】
本願第１請求項に記載した発明は、文字板と、指針を駆動するムーブメントとを備え、前記ムーブメントは、前記指針を装着する指針パイプと、前記指針パイプを挿通するとともにその回転軸を中心とする中心ねじと、前記指針パイプ及び前記中心ねじを保持するケース体とを備え、前記ケース体は、前記文字板の背面に当接する当接面を備え、前記文字板は、前記中心ねじを挿通する孔部を備え、前記文字板の背面側から前記孔部に前記中心ねじを挿通し、前記文字板の正面側から前記中心ねじに中心ナットを螺合して前記ムーブメントを前記文字板に支持してなる時計において、前記中心ナットは、前記文字板の正面に当接する着座面から螺合方向先端までの寸法が、前記文字板の厚さよりも大きいものであり、前記ケース体には、前記指針パイプの回転軸を中心とする円形環状の凹部を設け、前記凹部には、前記中心ナットの螺合方向先端が入り込むものとし、前記ケース体の当接面は、前記凹部を囲むように設け、更に、前記中心ねじは、前記ケース体の内面に当接するフランジ部を備え、前記中心ねじと前記中心ナットとの螺合方向においては、前記中心ねじのフランジ部と前記中心ナットの着座面とが対向するとともに、前記ケース体の当接面の少なくとも一部がそれらの間に位置する構成の時計である。
【発明の効果】
【０００６】
本発明によれば、文字板に対するムーブメントの支持構造を合理化してなる時計を得ることができる。
【発明を実施するための最良の形態】
【０００７】
以下に、本発明の実施例を図面に基づいて説明する。図１乃至図４に示す本例の時計１は、指針を駆動するムーブメント３００を文字板２００の背面に支持してなるものである。
【０００８】
ムーブメント３００は、指針３１１，３１２，３１３を装着する指針パイプ３２１，３２２，３２３と、指針パイプ３２１，３２２，３２３を挿通するとともにその回転軸Ｌを中心とする中心ねじ３３０と、指針パイプ３２１，３２２，３２３及び中心ねじ３３０を保持する扁平型のケース体３４０とを備えている。ケース体３４０は、文字板２００の背面に当接する当接面３４１を備えている。
【０００９】
具体的には、時針３１１を装着する時針パイプ３２１、分針３１２を装着する分針パイプ３２２、秒針３１３を装着する秒針パイプ３２３が回転軸Ｌを中心に同心軸状に設けられている。また、分針パイプ３２２の基端部に設けられたカナが日の裏車３２４と連結されており、時針パイプ３２１の基端部に設けられた時針車３２１ａが日の裏車３２４のカナと連結されている。更に、ケース体３４０の内部には、不図示の第１モータ及び第２モータが設けられており、第１モータに連結された第１減速機構が分針パイプ３２２の基端部に設けられた分針車３２２ａと連結されている。第２モータに連結された第２減速機構が秒針パイプ３２３の基端部に設けられた秒針車３２３ａと連結されている。そして、時針パイプ３２１及び分針パイプ３２２が第１モータによりそれぞれ所定の速度で回転駆動し、秒針パイプ３２３が第２モータにより所定の速度で回転駆動する構成となっている。
【００１０】
また、このムーブメント３００は、標準時刻電波を受信してその表示時刻を修正する電波修正時計に用いるものである。ケース体３４０には、標準時刻電波を受信するアンテナ３５０と、各モータ及び受信の動作を制御する回路が搭載された回路基板３６０とが設けられている。アンテナ３５０は、ケース体３４０の上部に設けられており、回路基板３６０は、ケース体３４０の正面にねじ止めにより設けられている。回路基板３６０の要所には、ケース体３４０の当接面３４１に対応する開口部３６１が設けられている。ケース体３４０の下部には、ムーブメント３００の電源となる電池ボックス３７０が設けられている。
【００１１】
次に、文字板２００に対するムーブメント３００の支持構造を説明する。文字板２００は、中心ねじ３３０を挿通する孔部２１０を備えている。ムーブメント３００は、文字板２００の背面側から孔部２１０に中心ねじ３３０を挿通し、文字板２００の正面側から中心ねじ３３０に中心ナット３８０を螺合して文字板２００に支持される。
【００１２】
本例の中心ナット３８０は、文字板２００の正面に当接する着座面３８１から螺合方向先端までの寸法Ａが、文字板２００の厚さＢよりも大きいものである。ケース体３４０には、指針パイプ３２１，３２２，３２３の回転軸Ｌを中心とする円形環状の凹部３４２を設け、凹部３４２には、中心ナット３８０の螺合方向先端が入り込むものとなっている。
【００１３】
ケース体３４０の当接面３４１は、凹部３４２を囲むように設けられている。図例では、指針パイプ３２１，３２２，３２３の回転軸Ｌを中心とする円筒ボス状の部位の端面となっている。
【００１４】
中心ねじ３３０は、ケース体３４０の内面に当接するフランジ部３３１を備え、中心ねじ３３０と中心ナット３８０との螺合方向においては、中心ねじ３３０のフランジ部３３１と中心ナット３８０の着座面３８１とが対向するとともに、ケース体３４０の当接面３４１の少なくとも一部がそれらの間に位置する構成となっている。つまり、回転軸Ｌを中心として、円形のフランジ部３３１及び円形の着座面３８１の小さい方の外周半径Ｄが、同じく回転軸Ｌを中心とする当接面３４１の内周半径Ｃよりも大きく設定されている。
【００１５】
このような構成によると、文字板２００に対するムーブメント３００の支持構造を合理的に以下に、その考え方を説明する。
【００１６】
まず、従来においては、図５に示すように、中心ねじ３３０と中心ナット３８０との螺合幅が、文字板２００の厚さに制限されてしまうという問題がある。すなわち、同図に示すように、文字板２００の正面に当接する着座面３８１から螺合方向先端までの寸法Ａが、文字板２００の厚さＢよりも小さいものであった。
【００１７】
そこで本例では、支持強度、及び組立ての作業性を向上するべく、ムーブメント３００のケース体３４０に中心ナット３８０の螺合方向先端が入り込む凹部３４２を設けて、寸法Ａを厚さＢよりも大きく設定した。
【００１８】
また、中心ねじ３３０と中心ナット３８０は、強固に締付ける必要があるところ、フランジ部３３１と着座面３８１との間に支えがないと、各部材に歪が生じてしまう恐れがある。そこで、ケース体３４０の当接面３４１の少なくとも一部が、その螺合方向においてフランジ部３３１と着座面３８１との間に位置する構成とした。締付けによる圧力が、ケース体３４０及び文字板２００に直接かかる構成となっている。
【００１９】
以上説明したように、本例の時計によると、文字板に対するムーブメントの支持構造を合理化してなる時計を得ることができる。尚、本例における各部の構成は、特許請求の範囲に記載した技術的範囲において適宜に設計変更が可能であり、図例説明したものに限定されないことは勿論である。
【産業上の利用可能性】
【００２０】
本発明の時計は、アナログ式の壁掛け時計や置き時計の時刻表示部を構成するものとして好適に利用することが可能である。
【図面の簡単な説明】
【００２１】
【図１】本発明の実施例に係り、時計を示す側面断面図である。
【図２】本発明の実施例に係り、ムーブメントを示す正面図である。
【図３】本発明の実施例に係り、文字板及びムーブメントの要部を示す側面断面図である。
【図４】本発明の実施例に係り、文字板及びムーブメントの要部を示す側面断面分解図である。
【図５】従来例に係り、文字板及びムーブメントの要部を示す側面断面図である。
【符号の説明】
【００２２】
１    時計
２００    文字板
２１０    孔部
３００    ムーブメント
３１１    指針（時針）
３１２    指針（分針）
３１３    指針（秒針）
３２１    指針パイプ（時針パイプ）
３２１ａ    時針車
３２２    指針パイプ（分針パイプ）
３２２ａ    分針車
３２３    指針パイプ（秒針パイプ）
３２３ａ    秒針車
３２４    日の裏車
３３０    中心ねじ
３３１    フランジ部
３４０    ケース体
３４１    当接面
３４２    凹部
３５０    アンテナ
３６０    回路基板
３６１    開口部
３７０    電池ボックス
３８０    中心ナット
３８１    着座面
Ｌ    回転軸
【図１】
2010145368.tif 000003
【図２】
2010145368.tif 000004
【図３】
2010145368.tif 000005
【図４】
2010145368.tif 000006
【図５】
2010145368.tif 000007